(57)【要約】【課題】本開示は、接続されている外部装置も含めて必要な場合にのみ初期設定を受け付けることができる表示装置、表示方法、表示装置の制御プログラムを提供することを目的とする。【解決手段】上記課題を解決するために、本開示にかかる表示装置は、画像を表示可能であり、かつ、使用者からの指示を受け付けることが可能な表示部と、外部装置と通信を行う通信部と、外部装置の初期設定が完了しているか否かに応じて、表示部を介して使用者から、自装置に関してのみ初期設定の指示を受け付けるか、自装置及び外部装置に関して初期設定の指示を受け付けるかを決定する判断部と、を備え、表示部は、前記判断部による決定結果に基づいて、メニュー画面を表示する。【選択図】図１
2013247539.tif 000002
【特許請求の範囲】
【請求項１】
画像を表示可能であり、かつ、使用者からの指示を受け付けることが可能な表示部と、
外部装置と通信を行う通信部と、
前記外部装置の初期設定が完了しているか否かに応じて、前記表示部を介して使用者から、自装置に関してのみ初期設定の指示を受け付けるか、前記自装置及び前記外部装置に関して初期設定の指示を受け付けるかを決定する判断部と、を備え、
前記表示部は、前記判断部による決定結果に基づいて、メニュー画面を表示する、
表示装置。
【請求項２】
前記通信部は、前記表示部が前記外部装置に関して初期設定の指示を受け付けると、受け付けた指示に対応する信号を前記外部装置に送信する、
請求項１に記載の表示装置。
【請求項３】
前記判断部は、前記外部装置の初期設定が完了している場合、前記表示部を介して使用者から、前記自装置に関してのみ初期設定の指示を受け付けると決定する一方、前記外部装置の初期設定が完了していない場合、前記自装置及び前記外部装置に関して初期設定の指示を受け付けると決定する、
請求項１又は２に記載の表示装置。
【請求項４】
外部装置と通信を行い、
前記外部装置の初期設定が完了しているか否かに応じて、表示部を介して使用者から、自装置に関してのみ初期設定の指示を受け付けるか、前記自装置及び前記外部装置に関して初期設定の指示を受け付けるかを決定し、
決定結果に基づいて、メニュー画面を表示する、
表示方法。
【請求項５】
外部装置と通信を行い、
前記外部装置の初期設定が完了しているか否かに応じて、表示部を介して使用者から、自装置に関してのみ初期設定の指示を受け付けるか、前記自装置及び前記外部装置に関して初期設定の指示を受け付けるかを決定し、
決定結果に基づいて、メニュー画面を表示するよう表示装置を制御する、
制御プログラム。
【発明の詳細な説明】
【技術分野】
【０００１】
本開示は表示装置、表示方法、及び表示装置の制御プログラムに関し、特に、外部装置と通信可能な表示装置、外部装置との通信を介して行う表示方法、及びそのような表示装置の制御プログラムに関する。
【背景技術】
【０００２】
特許文献１は、テレビ周辺機器設定システムを開示する。このテレビ周辺機器設定システムは、テレビジョン放送受信装置と、そのテレビジョン放送受信装置に接続される周辺機器とから構成される。
【０００３】
このテレビ周辺機器設定システムにおいて、テレビジョン放送受信装置は、初期設定が完了した際に、周辺機器が接続されているか否かを判断し、周辺機器が接続されている場合には周辺機器の初期設定を行う。
【０００４】
これにより、このテレビ周辺機器設定システムは、テレビジョン放送受信装置の設定と周辺機器の設定を簡単に行うことができる。
【先行技術文献】
【特許文献】
【０００５】
【特許文献１】特開２００８−２６３４４７号公報
【発明の概要】
【発明が解決しようとする課題】
【０００６】
しかしながら、上記特許文献１に開示されているテレビ周辺機器設定システムにおいて、テレビ放送受信装置は、自装置の初期設定が完了した場合に、周辺機器が接続されていると、常に周辺機器の初期設定を行う。このような構成では、仮に、周辺機器の初期設定が先に完了しているような場合に、後からテレビ放送受信装置の初期設定が行われると、周辺機器の初期設定の内容が自動的に上書きされてしまうこととなる。周辺機器の設定を細かく調整している場合に、設定が自動的に上書きされてしまうと使用者にとって不便である。
【０００７】
本開示は、接続されている外部装置も含めて必要な場合にのみ初期設定を受け付けることができる表示装置、表示方法、表示装置の制御プログラムを提供することを目的とする。
【課題を解決するための手段】
【０００８】
上記課題を解決するために、本開示にかかる表示装置は、画像を表示可能であり、かつ、使用者からの指示を受け付けることが可能な表示部と、外部装置と通信を行う通信部と、外部装置の初期設定が完了しているか否かに応じて、表示部を介して使用者から、自装置に関してのみ初期設定の指示を受け付けるか、自装置及び外部装置に関して初期設定の指示を受け付けるかを決定する判断部と、を備え、表示部は、前記判断部による決定結果に基づいて、メニュー画面を表示する。
【０００９】
また、本開示にかかる表示方法は、外部装置と通信を行い、外部装置の初期設定が完了しているか否かに応じて、表示部を介して使用者から、自装置に関してのみ初期設定の指示を受け付けるか、自装置及び外部装置に関して初期設定の指示を受け付けるかを決定し、決定結果に基づいて、メニュー画面を表示する。
【００１０】
また、本開示にかかる制御プログラムは、外部装置と通信を行い、外部装置の初期設定が完了しているか否かに応じて、表示部を介して使用者から、自装置に関してのみ初期設定の指示を受け付けるか、自装置及び外部装置に関して初期設定の指示を受け付けるかを決定し、決定結果に基づいて、メニュー画面を表示するよう表示装置を制御する。
【発明の効果】
【００１１】
本開示によれば、接続されている外部装置も含めて必要な場合にのみ初期設定を受け付けることができる表示装置、表示方法、表示装置の制御プログラムを提供できる。
【図面の簡単な説明】
【００１２】
【図１】実施形態１のシステム全体を示す模式図
【図２】実施形態１のレコーダ１００の構成を示す模式図
【図３】実施形態１のタブレット２００の構成を示す模式図
【図４】実施形態１のタブレット２００の初期設定動作を説明するためのフローチャート
【図５】実施形態１のタブレット２００が表示する画面を説明するための模式図
【図６】実施形態１のレコーダ１００の初期設定動作を説明するためのフローチャート
【図７】実施形態１のレコーダ１００が出力する画面を説明するための模式図
【発明を実施するための形態】
【００１３】
本開示の技術をタブレットに適用した実施の形態について図面を用いて説明する。
【００１４】
１．実施形態１
１−１．概要
本実施の形態にかかるタブレット２００が含まれるシステム全体の概要について図１を用いて説明する。図１は、システム全体を示す模式図である。
【００１５】
本実施の形態にかかるシステム全体は、レコーダ１００、タブレット２００、及びテレビ３００から構成される。レコーダ１００とテレビ３００とはＨＤＭＩ（Ｈｉｇｈ Ｄｅｆｉｎｉｔｉｏｎ Ｍｕｌｔｉｍｅｄｉａ Ｉｎｔｅｒｆａｃｅ）ケーブルで接続されている。また、レコーダ１００とタブレット２００とはＷｉＦｉダイレクトに準拠した無線通信を介して無線接続されている。テレビ３００は、レコーダ１００で再生された映像データが示す映像を表示できる。また、タブレット２００は、レコーダ１００で再生された映像データを無線通信を介して受信し、受信した映像データが示す映像を表示できる。
【００１６】
レコーダ１００及びタブレット２００は、購入後初期設定を行う必要がある。レコーダ１００は、接続されているテレビ３００にメニュー画面を出力しながら、使用者から不図示のリモコンを介した操作を受け付けることでレコーダ１００自身の初期設定を行うことができる。また、タブレット２００は、モニタ２１０にメニュー画面を表示しながら、使用者からタッチ操作を受け付けることでタブレット２００自身の初期設定を行うことができる。
【００１７】
タブレット２００は、タブレット２００自身の初期設定を行う際に、接続されているレコーダ１００の初期設定が完了しているか否かに応じて、タブレット２００のみの初期設定に関する操作を使用者に問い合わせるか、タブレット２００及びレコーダ１００の初期設定に関する操作を使用者に問い合わせるかを決定する。
【００１８】
これにより、タブレット２００は、接続されている外部装置も含めて必要な場合にのみ初期設定を受け付けることができる。
【００１９】
１−２．構成
本実施の形態にかかるタブレット２００が含まれるシステム全体に含まれるレコーダ１００、及びタブレット２００の構成について図面を用いて説明する。
【００２０】
１−２−１．レコーダ１００の構成
レコーダ１００の構成について図２を用いて説明する。図２は、レコーダ１００の構成を示すブロック図である。レコーダ１００は、チューナ１１０により受信した番組放送に対して、マイコン１３０により各種処理を施すことによって番組データを生成し、生成した番組データをＨＤＤ１４０やＢＤドライブ１８０内のＢＤに記録する。レコーダ１００は、ＨＤＤ１４０に記憶している番組データやＢＤに記憶されているデータをＨＤＭＩ１５０や無線通信モジュール１７０を介して外部機器に送信する。以下、各構成の詳細について説明する。
【００２１】
チューナ１１０は、アンテナを介して受信した電波のうち、使用者が選局しているチャンネルの電波を抽出する。チューナ１１０は、抽出した電波に基づいて、マイコン１３０が処理可能なデジタルデータを生成する。
【００２２】
リモコン受光部１２０は、リモコンから送信される赤外線またはＲＦ波に変調された制御信号を受信する。例えば、リモコン受光部１２０は、電源ＯＮ／ＯＦＦ、チャンネル切替、録画開始／停止等の制御信号を受信する。リモコン受光部１２０は、受信した制御信号をマイコン１３０が解釈できるデジタル信号に変換する。
【００２３】
マイコン１３０は、レコーダ１００全体を制御する制御モジュールである。マイコン１３０は、ＳＯＣ（Ｓｙｓｔｅｍ Ｏｎ Ｃｈｉｐ）で構成される。従って、マイコン１３０は、ＣＰＵ、メモリ、データ信号処理回路を一体として構成される。
【００２４】
ＨＤＤ１４０は、動画像データ等を記憶する記憶装置である。ＨＤＤ１４０は、チューナ１１０を介して受信した番組放送を示す番組データ等を記憶する。
【００２５】
ＨＤＭＩ１５０は、レコーダ１００とテレビ３００等の外部機器とを接続するインターフェースである。レコーダ１００は、ＨＤＭＩ１５０を介してＨＤＤ１４０に記憶されている番組放送が示す番組データ等を外部機器に対して出力する。
【００２６】
無線通信モジュール１７０は、無線ＬＡＮ通信可能な通信モジュールである。無線通信モジュール１７０は、無線ＬＡＮ通信の国際標準規格である「ＩＥＥＥ８０２．１１」規格に準拠している。無線通信モジュール１７０は、アクセスポイントを介して外部機器等とＩＰ（Ｉｎｔｅｒｎｅｔ Ｐｒｏｔｏｃｏｌ）により通信したり、自分自身がアクセスポイントとなり、Ｗｉｆｉダイレクトによって外部機器等と通信できる。
【００２７】
ＢＤドライブ１８０は、ＢＤにデータを記録したり、ＢＤに記憶されているデータを読み出したりするドライブである。
【００２８】
１−２−２．タブレット２００の構成
タブレット２００の構成について図３を用いて説明する。図３は、タブレット２００の構成を示すブロック図である。タブレット２００は、モニタ２１０を介して使用者から指示を受け、無線通信モジュール２４０を介してレコーダ１００からデータを受信する。タブレット２００は、受信したデータが示す映像をモニタ２１０に表示する。以下、各構成の詳細について説明する。
【００２９】
モニタ２１０は、画像を表示できる表示モニタである。モニタ２１０はタッチパネル機能を備えている。従って、使用者は、モニタ２１０を介して、タブレット２００の操作を行うことができる。使用者からモニタ２１０を介してレコーダ１００の初期設定の指示を受け付けた場合、タブレット２００は、無線通信モジュール２４０を介してレコーダ１００に受け付けた指示に対応した信号を送信する。
【００３０】
マイコン２２０は、タブレット２００内の各モジュールを制御する制御モジュールである。
【００３１】
フラッシュメモリ２３０は、タブレット２００全体を制御する制御プログラムや無線通信モジュール２４０を介して受信したデータを記憶する記憶媒体である。
【００３２】
１−３．動作
１−３−１．タブレット２００の初期設定動作
タブレット２００の初期設定動作について図４、図５を用いて説明する。図４は、タブレット２００の初期設定動作を説明するためのフローチャートである。図５は、タブレット２００が表示する画面を説明するための模式図である。
【００３３】
まず、タブレット２００の電源を入れて起動する（Ｓ４１０）。起動するとタブレット２００は２体型のタブレットのため、通信相手のレコーダ１００との通信を開始しようとする。この時に、まずタブレット２００のメモリ内部に記憶されているレコーダ１００とのペアリング状態を確認する（Ｓ４２０）。もしペアリング済であれば、レコーダ１００をネットワーク上で探索を開始する（Ｓ４３０）。レコーダ１００が見つかった場合、タブレット２００はレコーダ１００との接続処理を行って通信を確立する（Ｓ４７０）。一方、レコーダ１００が見つからなかった場合、図５に示す警告パネル５００をモニタ２１０を介してユーザーに表示する。図５の警告パネル５００は２つのボタンが配置されている。再接続ボタン５１０には、「レコーダ本体の電源や機器の状態を確認してください。レコーダに問題がない場合は、下記のボタンを押してください」という説明が付与されており、タブレット２００に対してレコーダ１００への再接続処理をユーザーが要求することができるＵＩとなっている。一方、再設定ボタン５２０には、「レコーダ本体に問題がないのにつながらない場合、またはレコーダ本体との接続を変更する場合は、下記のボタンを押してネットワーク設定をやり直してください」という説明が付与されており、ネットワークの接続設定をやり直すことが可能となっている。再接続ボタン５１０を押す場合は、家の中で電波が届かないところに行った場合に警告パネルが表示されるので、電波が届くところまで戻ってきてボタンを押して使うケースである。一方、再設定ボタン５２０を使うケースは、レコーダ１００とタブレット２００の接続方法を外部ＡＰ（アクセスポイント）経由に変更する場合である。この場合、レコーダ１００を先に外部ＡＰに接続するために、レコーダ１００とタブレット２００の接続は切断された状態となる。この状態では、タブレット２００も外部ＡＰへの接続が必要になるのだが、その設定変更を行うために再設定ボタンを５２０を押すことになる。
【００３４】
通常、ユーザーは警告パネル５００が表示されると、機器の状態を確認して再接続ボタン５１０を押すのが普通である（Ｓ４５０）。ここでレコーダ１００が見つかるまでは、警告表示と再接続ボタンの押下が繰り返される（Ｓ４４０，Ｓ４５０）。レコーダ１００が見つかれば、レコーダ１００とのネットワーク接続処理が行われる（Ｓ４７０）。
【００３５】
一方で、レコーダ１００がどうしても見つからず、ネットワーク設定の再設定が必要な場合は、再設定ボタン５２０を押下し、Ｓ４６０のペアリング処理を行うこととなる。Ｓ４６０はレコーダ１００とタブレット２００をＷｉｆｉ経由で直接接続する場合や、外部ＡＰ経由で接続する場合など、何種類かの接続方法を設定することが可能とする。
【００３６】
タブレット２００がレコーダ１００との通信（接続）を確立した場合、次にタブレット２００は自分自身がお買い上げ設定済かどうかを確認する（Ｓ４８０）。ＴＶを受信するＡＶ機器などは、お買い上げ設定が必要なものが多く、レコーダもそのひとつである。ユーザーがお使いの地域に合わせてデジタル地上波放送の受信設定が必要となる。タブレット２００のお買い上げ設定が済の場合、通常のモードで起動する（Ｓ４９０）。
【００３７】
この時、システム構成に依るが、レコーダ１００のお買い上げ設定済かどうかを確認行い、レコーダ１００のお買い上げ設定を行うとしても良い。これは、レコーダ１００が壊れた場合に交換して、タブレット２００はそのまま使う場合などを想定したケースである。この場合、タブレット２００はお買い上げ設定済だが、新しいレコーダ１００はお買い上げ設定未のため、お買い上げ設定を行う必要があり、それに対応することが可能となる。もしくは、ペアリングの再設定を行った場合に、タブレット２００のお買い上げ設定状態をリセットすると言う対応を採っても良い。そうすると、タブレット２００だけがお買い上げ設定済というケースを削除することが可能になる。
【００３８】
タブレット２００がお買い上げ設定が未の場合、レコーダ１００のお買い上げ設定状態を取得する（Ｓ５００）。これはレコーダ１００、タブレット２００の両方をお買い上げ設定する必要があるかどうかを判断するためである。レコーダ１００、タブレット２００共にお買い上げ設定未の場合、まずチューナのプリセットなどレコーダ１００のお買い上げ設定を、タブレット２００に表示されるＧＵＩを通して、ユーザーからの入力を受け付けながら行う（Ｓ５１０）。ここで設定される内容はタブレット２００からレコーダ１００に通信され、ユーザーの設定内容がレコーダ１００側に設定される。また、この設定内容はレコーダ１００側に記録され、タブレット２００側には記録されない。
【００３９】
ただし、システム構成によっては、タブレット２００側にレコーダ１００側の設定内容を記録しても良い。これはレコーダ１００を交換した際に、お買い上げ設定を再度ユーザーにさせるのではなく、タブレット２００が記録しているレコーダ１００の設定内容を自動でレコーダ１００に送ることで、お買い上げ設定のユーザー操作手順を省略することが可能となるからである。
【００４０】
レコーダ１００のお買い上げ設定が終わると、引き続きタブレット２００のお買い上げ設定を、タブレット２００に表示されるＧＵＩを介して行う（Ｓ５２０）。タブレット２００のお買い上げ設定の内容は、タブレット２００が持つハード構成に依存し、ディスプレイの機能のみの場合、お買い上げ設定としては簡素なものになることが予想される。電源ＯＦＦ中のモード（電源ＯＦＦからの起動を早くするかどうか）の設定が代表的な設定項目となるが、これだけという構成もある。
【００４１】
Ｓ５１０，Ｓ５２０によってレコーダ１００、タブレット２００のお買い上げ設定が完了すると、タブレット２００は通常モードで起動した状態となる（Ｓ５３０）。
【００４２】
Ｓ５００においてレコーダ１００がお買い上げ設定済と状態取得できた場合、タブレット２００はレコーダ１００のお買い上げ設定を行わず（スキップして）、Ｓ５２０のタブレット２００のお買い上げ設定を実行する。これにより、レコーダ１００がお買い上げ設定済だった場合に、再度レコーダ１００に対してお買い上げ設定を行うと言う冗長な処理の実行を抑止することが可能となる。２体型のレコーダ１００、タブレット２００を買ってきて、後からタブレット２００を使い始めた場合や、タブレット２００を後から買い足した場合がこれに該当し、ユーザーはお買い上げ設定において、非常に簡単な設定内容だけで、タブレット２００を使うことが可能となる。
【００４３】
一方、Ｓ４２０においてペアリングが未設定と判定された場合、まずはレコーダ１００とタブレット２００のペアリング処理が行われる（Ｓ４６０）。ここでペアリング処理が行われ、通信が確立されて、初めてＳ４８０以降のお買い上げ設定の処理フローが実行される。
【００４４】
ところで、ここまで説明した処理フローはタブレット２００からのお買い上げ設定の流れであり、ユーザーはタブレット２００の画面を見ながら処理する。このため、この処理の間にユーザーがレコーダ１００の画面をテレビ３００に表示して見る（確認する）ことは一切ない。
【００４５】
１−３−２．レコーダ１００の初期設定動作
レコーダ１００の初期設定動作について図６、図７を用いて説明する。図６は、レコーダ１００の初期設定動作を説明するためのフローチャートである。図７は、レコーダ１００が出力する画面を説明するための模式図である。
【００４６】
このシステムはレコーダ１００をテレビ３００に繋ぐこともできるため、先にも書いたようにレコーダ１００のみで使用することが可能であり、レコーダ１００でもお買い上げ設定が可能である。このため、お買い上げ設定処理について、レコーダ１００の設定とタブレット２００からの設定を排他制御する必要がある。
【００４７】
レコーダ１００が電源ＯＮされると（Ｓ６００）、レコーダ１００自身がお買い上げ設定済かどうかを判定する（Ｓ６１０）。お買い上げ設定済の場合、レコーダ１００は通常のモードで起動される（Ｓ６２０）。この状態で、レコーダ１００を操作して、レコーダ１００につながれたテレビ３００を通しての視聴映像や再生映像を楽しむことが可能となる。
【００４８】
この状態において、タブレット２００からペアリング要求が入ると（Ｓ６３０）、レコーダ１００は現在の状態を保持したまま、ペアリング処理を実行する（Ｓ６４０）。ペアリング処理が完了後、タブレット２００からお買い上げ設定の要求が届くと（Ｓ６５０）、「ただいま、モニタからのお買い上げ設定中です。しばらくお待ちください。」という図７のお買い上げ設定中パネルをテレビ３００に表示して、お買い上げ設定が完了するまでユーザー操作を規制する（Ｓ６６０）。
【００４９】
Ｓ６１０にてレコーダ１００がお買い上げ設定未と判断された場合、レコーダ１００は自身のお買い上げ設定メニューをテレビ３００を通して表示する（Ｓ６７０）。この状態でレコーダ１００ユーザーから操作入力待ちとなる。一方で、タブレット２００はレコーダ１００の状態とは関係なく、電源ＯＮ可能なため、任意のタイミングで電源ＯＮされる。タブレット２００はレコーダ１００に対してペアリング要求を行い（Ｓ６８０）、レコーダ１００はペアリング要求を受け付けて、現在の状態を維持したまま（レコーダ１００のお買い上げ設定画面をテレビ３００に表示したまま）、ペアリング処理を行う（Ｓ６９０）。ペアリング処理が完了すると、タブレット２００は引き続いてお買い上げ設定を要求してくる。これを受けて、レコーダ１００はテレビ３００の画面上に図７のお買い上げ設定中パネルを表示し、タブレット２００からのお買い上げ設定が完了するのを待ち続ける（Ｓ７００）。お買い上げ設定が完了すると、お買い上げ設定中パネルを消去して、通常状態で起動する（Ｓ７１０）。一方、タブレット２００からペアリング要求がない場合（Ｓ６８０）、テレビ３００に表示したＧＵＩを通してユーザーがお買い上げ設定を完了するのを待ち続け、お買い上げ設定が完了したら通常モードで起動する（Ｓ７２０）。
【００５０】
ここでは、タブレット２００からのお買い上げ設定要求を優先する形の処理フローを説明したが、図６のＳ７００でタブレット２００からのお買い上げ設定要求を受け付けずに拒絶して図７のパネルを表示しないという対応も考えられる（つまり、先に実行されたお買い上げ設定を優先するという考え方である）。この場合、タブレット２００はお買い上げ設定がブロックされて、レコーダ１００のお買い上げ設定が完了するまで待たされる事となる。レコーダ１００のお買い上げ設定後、タブレット２００のお買い上げ設定が実行され、タブレット２００に関連するお買い上げ設定だけが行われる。
【００５１】
いずれの場合においても、レコーダ１００のお買い上げ設定状態に応じて、タブレット２００で行うお買い上げ設定の処理は簡略化でき、ユーザー操作を削減することが可能となる。
【産業上の利用可能性】
【００５２】
本開示は、タブレット端末、スマートフォン、携帯電話、テレビ等の表示装置に適用できる。
【符号の説明】
【００５３】
１００    レコーダ
１１０    チューナ
１２０    リモコン受光部
１３０    マイコン
１４０    ＨＤＤ
１５０    ＨＤＭＩ
１７０    ＷｉＦｉ
１８０    ＢＤ
２００    タブレット
２１０    モニタ
２２０    マイコン
２３０    フラッシュメモリ
２４０    ＷｉＦｉ
【図１】
2013247539.tif 000003
【図２】
2013247539.tif 000004
【図３】
2013247539.tif 000005
【図４】
2013247539.tif 000006
【図５】
2013247539.tif 000007
【図６】
2013247539.tif 000008
【図７】
2013247539.tif 000009